(57)【要約】【課題】宗派や寺院が与えた位牌を他の位牌から区別することができる位牌及び霊璽を提供すること。【解決手段】読み出し専用の第１記憶手段３と、読み書き可能な第２記憶手段５１を位牌３１に固定し、第１記憶手段３に戒名又は法号、法名の由来に関する由来データを宗派や寺院が記憶させるようにすることにより、宗派や寺院以外の者が由来データを記憶する位牌を勝手に作れないようにして、宗派や寺院から与えられた位牌を他のものから区別できるようにする。【選択図】図１
2011206511.tif 000002
【特許請求の範囲】
【請求項１】
読み出し専用の第１記憶手段が固定されていること、
読み書き可能な第２記憶手段が、固定され、又は、着脱可能に取り付けられていること、
前記第１記憶手段に、戒名又は法号、法名の由来に関する由来データが記憶されていることを特徴とする位牌。
【請求項２】
請求項１に記載する位牌において、
前記第１記憶手段が、外部のデータ読み取り装置と無線通信を行う
ことを特徴とする位牌。
【請求項３】
請求項１又は請求項２に記載する位牌において、
前記第１記憶手段が、電気信号を通す貴石で覆われている
ことを特徴とする位牌。
【請求項４】
請求項１又は請求項２に記載する位牌において、
前記第１記憶手段が、無線式ＩＣチップであり、
前記無線式ＩＣチップが、琥珀部材又は樹脂部材に封入されており、
前記琥珀部材又は樹脂部材を装着する装着凹部が形成されている
ことを特徴とする位牌。
【請求項５】
請求項１又は請求項２に記載する位牌において、
前記第１記憶手段が、無線通信を行う無線式ＩＣカードであり、
前記無線式ＩＣカードを装着する装着凹部が形成されている
ことを特徴とする位牌。
【請求項６】
請求項１又は請求項２に記載する位牌において、
前記第１記憶手段が、無線式ＩＣチップであり、
前記無線式ＩＣチップを固定するためのカバーを有し、
前記カバーが装着されるカバー用装着凹部が形成されており、
前記無線式ＩＣチップが、カバーを介して前記カバー用装着凹部内に固定されている
ことを特徴とする位牌。
【請求項７】
請求項１又は請求項２に記載する位牌において、
前記第１記憶手段が、外部装置に接続して信号の入出力を行う接続手段を有し、
前記第１記憶手段を内設するための装着凹部が形成されており、
前記第１記憶手段が、前記接続手段を前記装着凹部の開口部に対向させて、前記装着凹部内に固定されている
ことを特徴とする位牌。
【請求項８】
請求項１乃至請求項７の何れか１つに記載する位牌において、
ＤＮＡ粉末を金箔で包んだＤＮＡ内包体が、固定されている
ことを特徴とする位牌。
【請求項９】
読み出し専用の第３記憶手段が固定されていること、
読み書き可能な第４記憶手段が、固定され、又は、着脱可能に取り付けられていること、
前記第３記憶手段に、諡号または霊号の由来に関する由来データが記憶されている
ことを特徴とする霊璽。
【請求項１０】
請求項９に記載する霊璽において、
前記第３記憶手段が、外部のデータ読み取り装置と無線通信を行う
ことを特徴とする霊璽。
【請求項１１】
請求項９又は請求項１０に記載する霊璽において、
前記第３記憶手段が、電気信号を通す貴石で覆われている
ことを特徴とする霊璽。
【請求項１２】
請求項９又は請求項１０に記載する霊璽において、
前記第３記憶手段が、無線式ＩＣチップであり、
前記無線式ＩＣチップが、琥珀部材又は樹脂部材に封入されており、
前記琥珀部材又は樹脂部材を装着する装着凹部が形成されている
ことを特徴とする霊璽。
【請求項１３】
請求項９又は請求項１０に記載する霊璽において、
前記第３記憶手段が、無線通信を行う無線式ＩＣカードであり、
前記無線式ＩＣカードを装着する装着凹部が形成されている
ことを特徴とする霊璽。
【請求項１４】
請求項９又は請求項１０に記載する霊璽において、
前記第３記憶手段が、無線式ＩＣチップであり、
前記無線式ＩＣチップを固定するためのカバーを有し、
前記カバーが装着されるカバー用装着凹部が形成されており、
前記無線式ＩＣチップが、カバーを介して前記カバー用装着凹部内に固定されている
ことを特徴とする霊璽。
【請求項１５】
請求項９又は請求項１０に記載する霊璽において、
前記第３記憶手段が、外部装置に接続して信号の入出力を行う接続手段を有し、
前記第３記憶手段を内設するための装着凹部が形成されており、
前記第３記憶手段が、前記接続手段を前記装着凹部の開口部に対向させて、前記装着凹部内に固定されている
ことを特徴とする霊璽。
【請求項１６】
請求項９乃至請求項１５の何れか１つに記載する霊璽において、
ＤＮＡ粉末を金箔で包んだＤＮＡ内包体が、固定されている
ことを特徴とする霊璽。
【発明の詳細な説明】
【技術分野】
【０００１】
本発明は、戒名や法名、法号、諡号、霊号などが記された位牌又は霊璽に関する。
【背景技術】
【０００２】
仏教では、四十九日までに故人の霊をまつる位牌が用意される。また位牌と同様、神道では、祖霊の寄り代として霊璽が用意される。位牌には戒名又は法名、法号が記載され、霊璽には諡号または霊号が記載される。位牌や霊璽は、先祖を大切に供養するものとして、日本人の間に広く定着している。
【０００３】
位牌や霊璽は、一度作られると何代にも渡って祀られ、新しい位牌や霊璽に作り替えられることはない。そのため、近年、生前に位牌や霊璽を吟味し、自分の好みの位牌や霊璽を作ることが行われている。また、位牌や霊璽が戒名等を授けられた当人を象徴するものであり、位牌や霊璽に手を合わせる毎に当人の生前の容姿が思い浮かべられたり、当人の足跡などに思いが巡らされる。そのため、当人の写真や文書データなどを記憶した板状メモリを着脱可能に取り付けた位牌や霊璽が提案されている。
【０００４】
図２４は、従来の位牌１０１の外観斜視図である。
位牌１０１は、台座１０３の嵌合孔１０６に礼板１０２の嵌合片１０４を隙間無く嵌め込むことにより、礼板１０２が台座１０３に取り付けられる。板状メモリ（ＭｉｃｒｏＳＤカード）１１０は、嵌合片１０４に形成された収納室１０５に着脱可能に収納されており、嵌合片１０４を嵌合孔１０６に嵌め込んで礼板１０２を台座１０３に取り付けることにより位牌１０１を組み立てた場合に、台座１０３に隠れて外部から見えないようにされている。板状メモリ１１０には、生前に撮影しておいた当人の画像（静止画や動画）、当人の話声や歌声を録音した音声、当人が書いた文章、当人が楽器を演奏した時の演奏録音等のデジタルデータが記憶されている。このような位牌１０１は、法事の時等に、嵌合片１０４を嵌合孔１０６から引き抜いて礼板１０２と台座１０３を分解し、板状メモリ１１０を収納室１０５から取り外して再生機器にセットすれば、板状メモリ１１０のデジタルデータを再生し、当人を偲ぶことができる（例えば、特許文献１参照）。
【先行技術文献】
【特許文献】
【０００５】
【特許文献１】実用新案登録第３１４１０１７号公報
【発明の概要】
【発明が解決しようとする課題】
【０００６】
従来の位牌１０１では、戒名等を授けられた当人のものであることを証明する術が、位牌１０１に記された戒名等しかなかった。戒名や法名、法号は、仏教に帰依した者の仏弟子としての名であり、宗派や寺院から当人の職業、経歴、地位、布施などを考慮して一人に一個授けられるものだからである。よって、遺族や生前戒名を依頼した当人は、戒名等を依頼した宗派や寺院から位牌１０１を、当人そのものとして大切に扱っていた。ところが、従来の位牌１０１は、同じ戒名等を記せば、何個でも同じものを作ることができた。この場合、当人や遺族、子孫は、宗派や寺院から与えられた位牌１０１を他のものから区別するのが困難であった。
尚、霊璽も、上記と同様の課題を有する。
【０００７】
本発明は、上記課題を解決するためになされたものであり、宗派や寺院が与えた位牌又は霊璽を他の位牌又は霊璽から区別することができる位牌及び霊璽を提供することを目的とする。
【課題を解決するための手段】
【０００８】
上記課題を解決するために、本発明の一態様に係る位牌は、読み出し専用の第１記憶手段が固定されていること、読み書き可能な第２記憶手段が、固定され、又は、着脱可能に取り付けられていること、前記第１記憶手段に、戒名又は法号、法名の由来に関する由来データが記憶されていること、を特徴とする。
上記課題を解決するために、本発明の一態様に係る霊璽は、読み出し専用の第３記憶手段が固定されていること、読み書き可能な第４記憶手段が、固定され、又は、着脱可能に取り付けられていること、前記第３記憶手段に、諡号または霊号の由来に関する由来データが記憶されていること、を特徴とする。
【０００９】
また、上記態様の位牌（霊璽）は、前記第１記憶手段（前記第３記憶手段）が、外部のデータ読み取り装置と無線通信を行うことが好ましい。
【００１０】
また、上記態様の位牌（霊璽）は、前記第１記憶手段が、電気信号を通す貴石で覆われていることが好ましい。尚、貴石には、ダイヤモンドや水晶などが含まれる。
【００１１】
また、上記態様の位牌（霊璽）は、前記第１記憶手段（前記第３記憶手段）が、無線式ＩＣチップであり、前記無線式ＩＣチップが、琥珀部材又は樹脂部材に封入されており、前記琥珀部材又は樹脂部材を装着する装着凹部が形成されていることが好ましい。
ここで、無線式ＩＣチップとは、アンテナを内蔵して無線通信可能であり、記憶装置や処理部を持つ半導体集積回路をいう。無線式ＩＣチップは、半導体そのものだけでなく、ＩＣタグを含むものとする。
また、樹脂部材には、ポリエチレン、ポリプロピレン、塩化ビニール、ポリスチレン、ＡＢＳ樹脂、ＡＳ樹脂、アクリル樹脂等の合成樹脂の他、コーパルやアンブロイド、松脂樹脂（ロジン）などの琥珀代用樹脂或いはゴム等の天然樹脂を材質する部材が、含まれる。
【００１２】
また、上記態様の位牌（霊璽）は、前記第１記憶手段（前記第３記憶手段）が、無線通信を行う無線式ＩＣカードであり、前記無線式ＩＣカードを装着する装着凹部が形成されていることが好ましい。
ここで、無線式ＩＣカードとは、無線式ＩＣチップとそのアンテナを樹脂で被覆したものである。
【００１３】
また、上記態様の位牌（霊璽）は、前記第１記憶手段（前記第３記憶手段）が、無線式ＩＣチップであり、前記無線式ＩＣチップを固定するためのカバーを有し、前記カバーが装着されるカバー用装着凹部が形成されており、前記無線式ＩＣチップが、カバーを介して前記カバー用装着凹部内に固定されていることが好ましい。
ここで、無線式ＩＣチップとは、アンテナを内蔵して無線通信可能であり、記憶装置や処理部を持つ半導体集積回路をいう。無線式ＩＣチップは、半導体そのものだけでなく、ＩＣタグを含むものとする。
【００１４】
また、上記態様の位牌（霊璽）は、前記第１記憶手段（前記第３記憶手段）が、外部装置に接続して信号の入出力を行う接続手段を有し、前記第１記憶手段（前記第３記憶手段）を内設するための装着凹部が形成されており、前記第３記憶手段（前記第３記憶手段）が、前記接続手段を前記装着凹部の開口部に対向させて、前記装着凹部内に固定されていることが好ましい。
【００１５】
また、上記態様の位牌（霊璽）は、ＤＮＡ粉末を金箔で包んだＤＮＡ内包体が、固定されていることが好ましい。
【発明の効果】
【００１６】
上記態様の位牌（霊璽）は、読み出し専用の第１記憶手段（第３記憶手段）が分離しないように固定され、読み書き可能な第２記憶手段（第４記憶手段）が、分離しないように固定され、又は、着脱可能に取り付けられている。宗派や寺院は、戒名や法名、法号（諡号または霊号）の由来に関する由来データを第１記憶手段（第３記憶手段）に記憶させてから、位牌（霊璽）に戒名等を授けた当人又はその遺族に与える。戒名や法名、法号（諡号または霊号）は、宗派や寺院から当人の生前の功徳を考慮して一人に一個与えられるものである。そのため、戒名等を付けたものしか知り得ない戒名等の由来に関する由来データが第１記憶手段（第３記憶手段）に記憶されていることは、当該位牌が宗派や寺院によって当人のために作られて与えられたものであることを意味する。しかも、第１記憶手段（第３記憶手段）は読み出し専用であるため、宗派や寺院以外の者が、由来データを記憶する位牌（霊璽）を勝手に作ることは許されない。このようにして、上記態様の位牌（霊璽）は、由来データを介して戒名等の記された位牌と戒名を授けられた当人とが強固に結びつけられるので、宗派や寺院が与えた位牌を他の位牌から区別することができる。
【００１７】
また、上記位牌（霊璽）は、第１記憶手段が外部のデータ読み取り装置と無線通信を行うので、遺族等は、位牌（霊璽）を外部のデータ読み取り手段に近づけ、外部のデータ読み取り装置に第１記憶手段の由来データを読み取らせるだけで、戒名等の由来を簡単かつ正確に知ることができる。
【００１８】
また、上記位牌（霊璽）は、第１記憶手段（第３記憶手段）が、電気を通す貴石で覆われているので、貴石で位牌（霊璽）を装飾して位牌（霊璽）の価値を高めつつ、第１記憶手段を目立たないように固定することができる。
【００１９】
また、上記位牌（霊璽）は、第１記憶手段（第３記憶手段）を構成する無線式ＩＣチップを琥珀部材又は樹脂部材に封入し、その琥珀部材又は樹脂部材を装着凹部に装着することにより、無線式ＩＣチップが固定されているので、位牌及び霊璽を琥珀部材や樹脂部材で装飾しつつ第１記憶手段（第３記憶手段）を固定することができる。
【００２０】
また、上記位牌（霊璽）は、第１記憶手段（第３記憶手段）を構成する無線式ＩＣカードを装着凹部に装着するので、無線式ＩＣカードが、位牌（霊璽）との間の境目を目立たせないように見栄え良く固定される。
【００２１】
また、上記位牌（霊璽）は、無線式ＩＣチップがカバーを介してカバー用装着凹部内に固定されており、カバーがカバー用装着凹部に嵌め込むようにして装着されているので、カバーとの境目が目立たず、無線式ＩＣチップを見栄え良く固定することができる。
【００２２】
また、上記位牌（霊璽）は、第１記憶手段（第３記憶手段）が、接続手段を装着凹部の開口部に対向させて、装着凹部内に固定されているので、第１記憶手段（第３記憶手段）を外部から分からないように固定することができる。また、外部装置と接続手段をケーブル等を用いてダイレクトに接続して第１記憶手段（第３記憶手段）の由来データを外部装置に読み取らせるので、由来データの読み取り時に電波干渉等の問題が生じない。
【００２３】
また、上記位牌（霊璽）は、ＤＮＡ粉末を金箔で包んだＤＮＡ内包体が、分離しないように固定されているので、例えば、当該位牌が当人のものであるかとの疑義を生じた場合でも、ＤＮＡ粉末を用いてＤＮＡ鑑定を行うことにより、当人と位牌（霊璽）とを一対一で関連付けることができる。特に、ＤＮＡ粉末が金箔で包まれて劣化を防止されているため、ＤＮＡ粉末を用いたＤＮＡ鑑定の信頼性が高い。
【図面の簡単な説明】
【００２４】
【図１】本発明の第１実施形態に係る位牌を正面側から見た外観斜視図である。
【図２】位牌を背面側から見た外観斜視図である。
【図３】位牌の下面図である。
【図４】礼板と封入物入り琥珀の分解斜視図である。
【図５】封入物入り琥珀の外観図である。
【図６】ＤＮＡ内包体の製造方法を説明する図である。
【図７】加熱装置の概略構成図である。
【図８】封入物入り琥珀の製造方法を説明するための図であって、特に、孔形成工程において孔形成工具を琥珀に刺す動作を説明する図である。図中ドットハッチング部は、琥珀の軟化部分を示す。
【図９】封入物入り琥珀の製造方法を説明するための図であって、特に、孔形成工程において封入物を配置する位置まで刺した孔形成工具の加熱を停止した状態を示す図である。
【図１０】封入物入り琥珀の製造方法を説明するための図であって、特に、孔形成工程において孔形成工具を琥珀から抜く動作を説明する図である。
【図１１】封入物入り琥珀の製造方法を説明するための図であって、封入物投入工程において封入物を入れる動作を説明する図である。
【図１２】封入物入り琥珀の製造方法を説明するための図であって、特に、琥珀樹脂充填工程において融解工具を埋め込み孔に挿入する動作を説明する図である。
【図１３】封入物入り琥珀の製造方法を説明するための図であって、特に、琥珀樹脂充填工程において融解工具の動作を説明する図である。
【図１４】封入物入り琥珀の製造方法を説明するための図であって、特に、琥珀樹脂充填工程における琥珀樹脂の流れを説明する図である。図中ドットハッチング部は、琥珀樹脂を示す。
【図１５】封入物入り琥珀の製造方法を説明するための図であって、特に、琥珀樹脂充填工程において融解工具を琥珀から抜く直前の状態を示す図である。図中ドットハッチング部は、琥珀樹脂を示す。
【図１６】封入物入り琥珀の製造方法を説明するための図であって、冷却工程を示す。図中点線は、埋め込み孔の形状を便宜的に示すものである。
【図１７】データの読み書き方法を説明するための図である。
【図１８】本発明の第２実施形態に係る霊璽の外観斜視図である。
【図１９】霊璽の下面図である。
【図２０】本発明の第３実施形態に係る位牌の裏面側から見た斜視図である。
【図２１】本発明の第４実施形態に係る位牌の外観図である。
【図２２】図２１のＸＸ断面図である。
【図２３】本発明の第５実施形態に係る位牌の外観図である。
【図２４】従来の位牌の外観斜視図である。
【発明を実施するための形態】
【００２５】
以下に、本発明の一実施形態について、図面を参照しながら説明する。
【００２６】
（第１実施形態）
＜位牌の構成＞
図１は、本発明の第１実施形態に係る位牌３１を正面側から見た外観斜視図である。図２は、位牌３１を背面側から見た外観斜視図である。図３は、位牌３１の下面図である。
位牌３１は、木製の台座３３に木製の礼板３２が取り付けて外観が構成され、漆でコーティングされている。図１に示すように、礼板３２の表面３４には、宗派や寺院が当人に授けた戒名が記され、戒名の上側に封入物入り琥珀１が固定されている。また、図２に示すように、礼板３２の裏面３６には享年等が記されている。図１及び図２に示すように、台座３３は、装飾座３７，３８，３９，４０，４１を積層したものである。図３に示すように、台座３３の下面には、無線式ＩＣタグ５１（「第２記憶手段」の一例）を収納するための収納部４２が形成されている。ＩＣタグ５１は、読み書き可能なメモリであって、例えば縦１ｃｍ、横２ｃｍ、厚さ０．２ｃｍの大きさを有する。ＩＣタグ５１には、生前に撮影しておいた当人の画像（静止画や動画）、当人の話声や歌声を録音した音声、当人が書いた長い文章（例えば、Ａ４用紙２頁以上）、当人が楽器を演奏した時の演奏録音等、戒名を授けられた当人又はその遺族の残したいデジタルデータが記憶されている。収納部４２は、ＩＣタグ５１が外から見えないように、凹状に形成されている。ＩＣタグ５１は、強力な接着剤を塗布されて、収納部４２の内壁に強固に接着され、収納部４２に脱離しないように固定されている。
【００２７】
図４は、礼板３２と封入物入り琥珀１の分解斜視図である。
礼板３２には、封入物入り琥珀１が埋設されている。礼板３２は、封入物入り琥珀１（「琥珀部材」の一例）を嵌め込んで配置するための装着凹部３５が形成されている。装着凹部３５は、封入物入り琥珀１が礼板３２の表面に突出させない大きさで設けられ、封入物入り琥珀１が何かにぶつかって位牌３１から脱落することを防いでいる。封入物入り琥珀１には、無線式ＩＣチップ３（「第１記憶手段」の一例）とＤＮＡ内包体４が封入されている。封入物入り琥珀１は、裏面に強力な接着剤を塗布されて、装着凹部３５の内壁に強固に接着され、礼板３２から脱離しないように固定される。
【００２８】
＜封入物入り琥珀について＞
図５は、本実施形態に係る封入物入り琥珀１の外観図である。図６は、ＤＮＡ内包体４の製造方法を説明する図である。
図５に示すように、封入物入り琥珀１は、天然の琥珀２の内部に、無線式ＩＣチップ３とＤＮＡ内包体４が、あたかも初めからあったかのように、封入痕を残さずに封入されている。無線式ＩＣチップ３とは、アンテナを内蔵して無線通信可能であり、記憶装置や処理部を持つ半導体集積回路をいう。無線式ＩＣチップ３は、半導体そのものだけでなく、ＩＣタグを含むものとする。無線式ＩＣチップ３（以下「ＩＣチップ３」という。）は、数ｍｍ四方の正方形状をなし、ＩＣタグ５１より大きさが小さく、ＩＣタグ５１より記憶容量が小さい（例えば、Ａ４用紙１頁分の記憶容量）。ＩＣチップ３は、読み出し専用のメモリであり、専用機と無線通信を行うことによりデータを書き込まれる。ＩＣチップ３には、戒名の由来に関する由来データが記憶されている。
【００２９】
一方、図６に示すように、ＤＮＡ内包体４は、ＤＮＡ粉末６を薄い金箔５（例えば、厚さが１０００分の３ｍｍ）に包んだものである。ＤＮＡ粉末６は、例えば、キアゲン社製造の装置によって作られる。ＤＮＡ粉末６は、細胞の核以外を溶かす溶液に毛髪（粘膜や体液等でも良い）を入れて溶かし、その溶液を遠心分離器にかけることにより核を細胞の他の部分から分離し、その後、分離した核を乾燥させて粉末状にしたものである。このように製造されたＤＮＡ粉末６は、水分含有量が４％以下にされ、腐敗や変質を発生しにくくされている。金箔５は、ＤＮＡ粉末６を挟むように折り畳まれている。金箔５は、銀などと比べて酸化しにくい性質を有し、ＤＮＡ粉末６の腐敗や変質を防止するのに適している。また、金箔５は、融解した琥珀樹脂がからみついて付着しないという性質を有し、ＤＮＡ内包体４を琥珀２に繰り返し出し入れできるようにする。
【００３０】
＜加熱装置の構成＞
図７は、加熱装置１１の概略構成図である。
上記のような封入物入り琥珀１の製造には、図７に示す加熱装置１１が用いられる。加熱装置１１は、ヒータ部１３に孔形成工具１２と融解工具２０（図１３〜図１５参照）を交換して取り付けられるようになっている。図７に示すように、孔形成工具１２は、図示しない駆動部により、図示しない作業台に置かれた琥珀２に対して上下動される。一方、図１２及び図１３に示すように、融解工具２０は、図示しない駆動部により、図示しない作業台に置かれた琥珀２に対して上下動させ、更に上昇時に回動される。
【００３１】
孔形成工具１２は、琥珀２に抜き差しし易いように円錐形状をなす。一方、図１３〜図１５に示す融解工具２０は、孔形成工具１２より細い形状で設けられている。図７に示すように、コントローラ１４は、配線１８を介して電源に接続され、ヒータ部１３に取り付けられた孔形成工具１２（又は融解工具２０）の温度を設定温度に維持するための制御信号をヒータ部１３に出力する。孔形成工具１２と融解工具２０の設定温度は、コントローラ１４の加熱温度設定部１５に入力される。加熱装置１１は、琥珀２に埋め込み孔２１を形成するための孔形成モード設定スイッチ１６と、琥珀樹脂２５を埋め込み孔２１に充填するための琥珀樹脂充填モード設定スイッチ１７とを有する。コントローラ１４は、加熱装置１１の動作状態を表示部１９に表示する。
【００３２】
＜琥珀の性質＞
従来より知られているように、琥珀には熱に弱い性質がある。琥珀が加熱されて軟化する軟化開始温度や、琥珀が固体から液体に変化し始める融点、琥珀が揮発し始める揮発温度は、原産地の違い等により巾があるものの、一般的に、軟化開始温度は約１３０℃以上１８０℃以下、融点は２２０℃以上２５０℃以下、揮発温度は３００℃以上とされている。天然琥珀は、軟化開始温度（１３０℃以上１８０℃以下）又は融点（２２０℃以上２５０℃以下）に加熱した針を刺して抜いた場合に、琥珀樹脂が針につかない。一方、例えば、まだ琥珀化していないコーパルや、フェノール樹脂、プラスチックなどの天然琥珀の偽物は、天然琥珀の軟化開始温度や融点に加熱した針を刺して抜くと、材料が針に付着したり、材料が焦げ付いたりする。これは、これらの偽物が、天然琥珀より、軟化開始温度と融点が低い場合があるためである。
【００３３】
＜封入物入り琥珀の製造方法＞
次に、封入物入り琥珀の製造方法を、図８乃至図１６を参照しながら説明する。
本実施形態の封入物入り琥珀の製造方法は、例えば、位牌３１に取り付けられる琥珀２に、ＩＣチップ３とＤＮＡ内包体４を封入するために、用いられる。
【００３４】
上述したように、天然琥珀の軟化開始温度と融点には巾がある。そこで、作業者は、加工対象となる琥珀２の軟化開始温度と融点を事前に調査しておく。また、作業者は、顧客から毛髪を貰ってＤＮＡ粉末６を生成して金箔５で包み、ＤＮＡ内包体４を作っておく。
【００３５】
そして、作業者は、図７に示す加熱装置１１を用いて琥珀２に封入物を封入する。具体的には、作業者は、調査した軟化開始温度（例えば１３０℃）を加熱温度設定部１５に入力し、孔形成モード設定スイッチ１６を押下する。コントローラ１４は、ヒータ部１３に孔形成工具１２を琥珀２の軟化開始温度（１３０℃）に加熱するための制御信号を出力し、孔形成工具１２を予熱する。
【００３６】
コントローラ１４は、孔形成工具１２の予熱を完了すると、図示しない駆動部により孔形成工具１２を琥珀２へ向かって下降させ、琥珀２の表面に押し付ける。すると、図８に示すように、琥珀２は、孔形成工具１２から熱伝達される部分が軟化し、孔形成工具１２の先端部が徐々に琥珀２の軟化部分２４に押し込まれていく。このとき、図８の図中矢印に示すように、孔形成工具１２に押し退けられた軟化した琥珀が、蒸発せずに、孔形成工具１２の周りから琥珀２の表面に押し出される。
【００３７】
図９に示すように、コントローラ１４は、孔形成工具１２を所定量（例えば封入物を配置する位置まで）琥珀２に刺すと、孔形成工具１２の下降を停止させ、ヒータ部１３に孔形成工具１２を加熱する制御信号を出力しなくなる。孔形成工具１２は、琥珀２に挿入されたまま表面温度が下がり、琥珀２の軟化部分２４を冷却して固化させる。
【００３８】
琥珀２の軟化部分２４が固化するために必要な所定時間が経過すると、コントローラ１４は、図１０に示すように、図示しない駆動部により孔形成工具１２を上昇させる。上述した琥珀の性質より、孔形成工具１２は、琥珀２が付着することなく、スムーズに琥珀２から引き抜かれる。よって、琥珀２には、孔形成工具１２と同じ形状の埋め込み孔２１が形成され、その埋め込み孔２１の内壁には、引っ掛かれたり毛羽だったような傷が残されない。また、琥珀２は、埋め込み孔２１の開口部外周に沿って、孔形成工具１２に押し退けられた琥珀が盛り上がって突起２２を形成している。尚、本実施形態では、ＩＣチップ３が琥珀２を介して無線通信できるように、埋め込み孔２１は、ＩＣチップ３とＤＮＡ内包体４を琥珀２の表面から無線通信可能の範囲内（例えば３ｍｍ以下の範囲内）に入れられるように、形成される。
【００３９】
埋め込み孔２１が形成されたら、作業者は、図１１に示すように、操作棒２３によりＩＣチップ３とＤＮＡ内包体４を摘み、琥珀２の埋め込み孔２１に入れる。このとき、琥珀２の外からの見栄えの良いように、ＩＣチップ３とＤＮＡ内包体４を配置することが好ましい。尚、封入物投入作業は、加熱装置１１に設けた操作棒２３により自動的に行っても良い。
【００４０】
そして、作業者は、ヒータ部１３の孔形成工具１２を融解工具２０に交換した後、事前に調査した琥珀２の融点を加熱温度設定部１５に入力し、その後、琥珀樹脂充填モード設定スイッチ１７を押下する。すると、コントローラ１４は、融解工具２０を琥珀２の融点に加熱する制御信号をヒータ部１３に出力する。コントローラ１４は、融解工具２０の予熱が完了すると、図１２に示すように、図示しない駆動部に融解工具２０を下降させて、融解工具２０の先端部を埋め込み孔２１の底部付近まで移動させる。
【００４１】
そして、コントローラ１４は、図１３に示すように、図示しない駆動部に、埋め込み孔２１の内壁をなぞるように融解工具２０を回動させながら融解工具２０を少しずつ上昇させる。このとき、図１４及び図１５に示すように、埋め込み孔２１の内壁が、２２０℃に加熱された融解工具２０から熱伝達されて融解し、液化した琥珀樹脂２５が埋め込み孔２１の底部から徐々に溜まって固化していく。これにより、ＩＣチップ３とＤＮＡ内包体４が琥珀樹脂２５に包まれ、外気と遮断される。そして、図１５に示すように、埋め込み孔２１の開口部に残っていた突起２２も、融解工具２０に加熱されて融解し、埋め込み孔２１に流れ込むため、琥珀２の表面に突起２２がなくなる。この琥珀樹脂充填工程では、融解工具２０の温度が琥珀２の融点に維持されているため、融解した琥珀樹脂２５は蒸発せずに埋め込み孔２１に充填される。よって、琥珀２は、琥珀２の表面と面一になるように琥珀樹脂２５が埋め込み孔２１に充填され、表面に目立った凹凸が発生しない。
【００４２】
図１６に示すように、琥珀２は、埋め込み孔２１に充填された琥珀樹脂２５が空気に冷却されて自然に固化し、封入物入り琥珀１が完成する。封入物入り琥珀１は、埋め込み孔２１の内壁が滑らかに形成されていたため、琥珀樹脂２５を埋め込み孔２１に充填する場合に琥珀樹脂２５に気泡が巻き込まれず、琥珀２内に不自然な気泡が発生していない。しかも、埋め込み孔２１の内壁を融解した琥珀樹脂２５を埋め込み孔２１に充填するため、封入物の封入前後で琥珀２の成分構造が変わらず、琥珀２の加熱された部分と加熱されなかった部分との境界を肉眼で殆ど判別できない。よって、封入物入り琥珀１は、ＩＣチップ３とＤＮＡ内包体４が、あたかも最初から琥珀２の中にあったかのように琥珀２に封入され、自然の産物である琥珀２の意匠的価値が損なわれていない。
【００４３】
＜位牌の製造方法＞
位牌３１は、礼板３２が台座３３に取り付けられ、外部から見える所に漆が塗られる。そして、礼板３２の表面３４に戒名が記される。そして、強力な接着剤を用いて、封入物入り琥珀１が礼札３２に設けられた装着凹部３５にとれないようにしっかり嵌め込まれて固定されると共に、ＩＣタグ５１が台座３７に設けられた収納部４２にとれないようにしっかり固定される。
【００４４】
例えば、宗派や寺院の者は、ＩＣチップ３にデータを書き込むための専用機に戒名の由来を入力し、由来データを作成する。そして、専用機のデータ書き込み手段に封入物入り琥珀１に近づけ、由来データをＩＣチップ３に書き込む。その後、位牌３１は、宗派や寺院から戒名を授けられた当人やその遺族に与えられる。
【００４５】
＜ＩＣタグへのデータ書き込み方法＞
図１７は、データの読み書き方法を説明するための図である。
パソコン（外部のデータ読み取り装置の一例）５５には、データの読み書きが可能なリード／ライト手段５６が接続されている。パソコン５５は、周知のコンピュータであって、位牌製造業者、寺院、家庭、法事会場（料亭等）などに設置される。
【００４６】
位牌３１を受け取った当人又は遺族は、当人の画像（静止画や動画）、当人の話声や歌声を録音した音声、当人が書いた文章、当人が楽器を演奏した時の演奏録音等を、パソコン５５にデジタルデータとして記憶させる。そして、図１７の点線に示すように、リード／ライト手段５６をＩＣタグ５１に近づけ、パソコン５５に記憶させたデジタルデータをＩＣタグ５１に書き込む。
【００４７】
＜デジタルデータ利用例＞
例えば、ＩＣタグ５１に記憶されているデジタルデータを、法事で流す場合、パソコン５５を会場にセットする。そして、図１７の点線に示すように、会場に設置されたパソコン５５のリード／ライト手段５６をＩＣタグ５１に近づける。リード／ライト手段５６は、ＩＣタグ５１と無線通信を行い、ＩＣタグ５１からデジタルデータを読み取ってパソコン５５に送信する。パソコン５５は、リード／ライト手段５６から受信したデジタルデータを記憶する。
【００４８】
そして、例えば、読経前にパソコン５５にデジタルデータを再生させ、生前に撮影しておいた当人の画像（静止画や動画）、当人の話声や歌声を録音した音声、当人が書いた文章、当人が楽器を演奏した時の演奏録音等のデジタルデータを会場に流す。これにより、法事の出席者は、故人の画像や音声、文章、演奏等を見聞きして、故人を偲ぶことができる。
【００４９】
尚、遺族は、気に入った画像や音声等のデジタルデータがあれば、パソコン５５を用いて、ＩＣタグ５１のデジタルデータに適宜追加して書き込んでも良い。
【００５０】
また例えば、法事の挨拶で戒名の由来を出席者に知らせたい場合には、遺族は、図１７の実線に示すように、リード／ライト手段５６をＩＣチップ３に近づけ、ＩＣチップ３から由来データを読み取る。そして、読み取った由来データをパソコン５５に表示させてメモをとったり、プリントアウトする。そして、法事において、メモの内容やプリントアウトした内容を読み上げたり、出席者に配ることにより、戒名の由来を出席者に知らせることができる。出席者は、戒名の由来から当人の功徳を理解し、当人を身近に感じて供養することができる。
ここで、ＩＣチップ３は読み出し専用であるため、遺族等は、ＩＣチップ３に由来データを勝手に書き込んだり、ＩＣチップ３に記憶されている由来データを勝手に改変・消去することができない。
【００５１】
＜ＤＮＡ粉末使用例＞
更に、例えば、天災等により位牌３１が誰のものであるか分からなくなる場合がある。また例えば、当人が生前戒名を受けて位牌３１を作る際に、ＩＣチップ３に生前の遺言を記憶させていた場合には、当人の死亡後、遺族の中には、遺言の信憑性に疑念を抱く者もいる。
【００５２】
上記のような場合、ＩＣチップ３と一緒に封入されているＤＮＡ内包体４を封入物入り琥珀１から取り出し、ＤＮＡ粉末６を用いてＤＮＡ鑑定を行い、琥珀２に封入されたＤＮＡが当人（故人）のＤＮＡと一致するか否か確認すると良い。ＩＣチップ３とＤＮＡ内包体４は一緒に琥珀２に封入されているため、ＩＣチップ３はＤＮＡ内包体４を介して当人と一対一で結びつけられている。よって、琥珀２に封入されたＤＮＡが当人のＤＮＡと一致することにより、その位牌３１が誰のものであるかや、ＩＣチップ３に記憶された遺言が当人の意思であることを証明することができる。
【００５３】
ここで、ＤＮＡの取り出し方法について具体的に説明する。
加熱装置１１に融解工具２０を取り付け、当該琥珀２の融点（例えば２２０℃以上２５０℃以下）に融解工具２０を加熱する。そして、加熱した融解工具２０を琥珀２の表面に押し当て、ＩＣチップ３とＤＮＡ内包体４へ向かって琥珀２を少しずつ融解させていく。ＩＣチップ３とＤＮＡ内包体４の周りまで琥珀２を融解させたら、融解工具２０を琥珀樹脂２５から抜き、琥珀樹脂２５が固化する前に操作棒２３を琥珀樹脂２５に入れてＤＮＡ内包体４を取り出す。取り出されたＤＮＡ内包体４は、金箔５に琥珀樹脂２５が付着しないため、金箔５を広げてＤＮＡ粉末６を取り出すことができる。ＤＮＡ粉末６は、琥珀２により外気との接触を断たれ、しかも水分含有量が４％以下にされ、更に金箔５により酸化を防がれていたため、腐敗したり変質したりしておらず、再現性が良い。
【００５４】
尚、ＤＮＡ内包体４を琥珀２に再封入する場合には、上述した封入物入り琥珀１の製造方法と同様に行えばよい。この場合にも、ＤＮＡ内包体４は、封入痕を残さずに琥珀２に封入される。
【００５５】
＜作用効果＞
以上説明したように本実施形態の位牌３１は、読み出し専用のＩＣチップ３と、読み書き可能なＩＣタグ５１が、分離しないように固定されている。宗派や寺院は、戒名や法名、法号（諡号または霊号）の由来に関する由来データをＩＣチップ３に記憶させてから、位牌３１を戒名を授けた当人又は遺族に与える。戒名は、宗派や寺院から当人の生前の功徳を考慮して一人に一個与えられるものである。そのため、戒名を付けたものしか知り得ない戒名の由来に関する由来データがＩＣチップ３に記憶されていることは、当該位牌３１が宗派や寺院によって当人のために作られて与えられたものであることを意味する。しかも、ＩＣチップ３は読み出し専用であるため、宗派や寺院以外の者が、由来データを記憶する位牌（霊璽）を勝手に作ることは許されない。つまり、当人や遺族、子孫であっても、位牌３１のＩＣチップ３に由来データを勝手に書き込んだり、宗派や寺院が入力した由来データを勝手に改変・消去することが許されない。このようにして、本実施形態の位牌３１は、由来データを介して戒名の記された位牌３１と戒名を授けられた当人とが強固に結びつけられるので、宗派や寺院が与えた位牌３１を他の位牌から区別することができる。
【００５６】
また、上記位牌３１は、ＩＣチップ３がパソコン５５と無線通信を行うので、遺族等は、位牌３１をパソコン５５に近づけ、パソコン５５にＩＣチップ３の由来データを読み取らせるだけで、戒名等の由来を簡単且つ正確に知ることができる。
【００５７】
また、上記位牌３１は、ＩＣチップ３を封入した封入物入り琥珀１を分離しないように固定するので、位牌３１を琥珀２で装飾しつつＩＣチップ３を固定することができる。特に、ＩＣチップ３は、小さく、琥珀２内にあたかも最初からあったかのように存在するため、位牌３１に目立たないように自然に固定される。
特に、封入物入り琥珀１は、埋め込み孔２１の痕跡を残さずにＩＣチップ３とＤＮＡ内包体４が琥珀２に封入されているため、あたかもＩＣチップ３とＤＮＡ内包体４が琥珀２の産出当初からあったかのように琥珀２の内部に存在する。一方、琥珀２は、数千万年もの長い年月をかけて化石化した宝石的価値のあるものであり、生命の永続性の象徴と言える。よって、上記位牌３１は、琥珀２にＩＣチップ３が封入されていても、琥珀２が持つ宝石的価値や生命の永続性を損なわれないので、位牌の装飾性が高められる。
【００５８】
また、上記位牌３１は、ＩＣタグ５１が固定されているので、ＩＣタグ５１が紛失されたり、別のメモリと間違えられてデジタルデータを上書きされる恐れがない。
【００５９】
また、上記位牌３１は、ＤＮＡ粉末６を金箔５で包んだＤＮＡ内包体４が、分離しないように固定されているので、例えば、当該位牌３１が当人のものであるかとの疑義が生じた場合でも、ＤＮＡ粉末６を用いてＤＮＡ鑑定を行うことにより、当人と位牌３１とを一対一で関連付けることができる。特に、ＤＮＡ粉末６が金箔５で包まれて劣化を防止されているため、ＤＮＡ粉末６を用いたＤＮＡ鑑定の信頼性が高い。
【００６０】
（第２実施形態）
続いて、本発明の第２実施形態について説明する。図１８は、本発明の第２実施形態に係る霊璽６１の外観斜視図である。図１９は、霊璽６１の下面図である。
本実施形態では、図１８に示すように、封入物入り琥珀１とＩＣタグ５１を霊璽６１に設けている点が第１実施形態と相違している。霊璽６１は、木製の礼板６２が木製の台座６３に取り付けられ、礼板６２を覆うように木製の覆い６４が被せられる。封入物入り琥珀１は、接着剤が塗布され、礼板６２の諡号または霊号の上側に形成された装着凹部３５に貼着されている。また、ＩＣタグ５１は、図１９に示すように、台座６３の下面に形成された収納部４２に、接着剤により貼着されている。このような霊璽６１は、第１実施形態と同様の作用効果を奏する。
尚、本実施形態では、ＩＣチップ３が「第３記憶手段」の一例となり、ＩＣタグ５１が「第４記憶手段」の一例となる。
【００６１】
（第３実施形態）
続いて、本発明の第３実施形態について説明する。図２０は、本発明の第３実施形態に係る位牌７１の裏面側から見た外観斜視図である。ここで、実際の位牌７１は、漆が塗られて、位牌７１と無線式ＩＣカード７３との境目が見えないが、図２０では、無線式ＩＣカード７３の構成や取付構造がわかるように、無線式ＩＣカード７３と装着凹部７２ａを実線で記載している。
位牌７１は、「第１記憶手段」の一例として無線式ＩＣカード７３を使用する点が第１実施形態の位牌３１と相違している。ここでは、第１実施形態と相違する点を中心に説明し、第１実施形態と同一の構成には、図面に第１実施形態と同じ符号を用いて適宜説明を省略する。
【００６２】
位牌７１は、木製の礼板７２と台座３３により外観が構成されている。礼板７２には、無線式ＩＣカード７３を装着するための装着凹部７２ａが形成されている。装着凹部７２ａは、無線式ＩＣカード７３の形状（縦幅、横幅、厚さ）に合わせた形状（縦幅、横幅、深さ）で設けられ、無線式ＩＣカード７３により位牌７１にできる凹凸を極力少なくしている。無線式ＩＣカード７３は、ＩＣチップとそのアンテナを樹脂で被覆したものである。無線式ＩＣカード７３は、読み出し専用のメモリであって、専用機を用いてデータが書き込まれる。無線式ＩＣカード７３は、第１実施形態のＩＣチップ３より記憶容量が大きい。また、無線式ＩＣカード７３は、被覆されているアンテナが第１実施形態のＩＣチップ３のアンテナより大きいため、無線通信時に位牌７１を装着する金属の影響を受けにくい。無線式ＩＣカード７３は、装着凹部７２ａに嵌め込まれた状態で、位牌７１から分離しないように接着剤等でしっかり固定されている。位牌７１は、無線式ＩＣカード７３との境界がわからないように、漆が塗られている。また、位牌７１は、金箔等により装飾される。
【００６３】
このような位牌７１は、外部装置のデータ読み取り手段に礼板７２を近づけると、無線式ＩＣカード７３がデータ読み取り手段と無線通信を行い、データ読み取り手段に由来データを読み取られる。無線式ＩＣカード７３に被覆されるアンテナは、第１実施形態のＩＣチップ３のアンテナより巻き数が多いため、無線式ＩＣカード７３は、第１実施形態のＩＣチップ３より電子信号を強く発し、電波が位牌７１を装着する金箔と干渉しにくい。この結果、位牌７１は、無線式ＩＣカード７３から由来データが読み取ることができないデータ読み取り不良が発生しにくくなる。
【００６４】
以上説明した本実施形態の位牌７１は、無線式ＩＣカード７３を装着凹部７２ａに装着するので、無線式ＩＣカード７３が、位牌７１との間の境目を目立たせないように見栄え良く固定される。
また、位牌７１は、市販の無線式ＩＣカード７３を用いれば、第１実施形態のようにＩＣチップ３を琥珀２に封入する作業が不要となり、製造の手間を軽減してコストダウンできる。
【００６５】
（第４実施形態）
続いて、本発明の第４実施形態について説明する。図２１は、本発明の第４実施形態に係る位牌８１の外観図である。図２２は、図２１のＸＸ断面図である。ここで、実際の位牌８１は、漆が塗られて、カバー８３との境目が見えないが、図２１では、ＩＣチップ３の取付構造がわかるように、ＩＣチップ３とカバー８３を記載している。
図２１に示す位牌８１は、ＩＣチップ３（「第１記憶手段」の一例）の固定方法のみが第１実施形態の位牌３１と相違している。ここでは、第１実施形態と相違する点を中心に説明し、第１実施形態と同一の構成には、図面に第１実施形態と同じ符号を用いて適宜説明を省略する。
【００６６】
図２１に示すように、位牌８１は、ＩＣチップ３がカバー８３に覆われた状態で固定されている。図２２に示すように、礼板８２は、木製で、表面にカバー８３を固定するためのカバー用装着凹部８２ｂが形成されている。カバー用装着凹部８２ｂの底部には、ＩＣチップ用凹部８２ａが、カバー用装着凹部８２ｂより小さく設けられている。ＩＣチップ３は、ＩＣチップ用凹部８２ａに嵌め込まれた後、カバー８３で覆われ、そのカバー８３を接着剤や接着テープなどでカバー用装着凹部８２ｂの内壁に固定することにより、礼板８２に固定されている。カバー８３は、電気信号（電波）を通す材質（例えば、プラスチック、可撓性樹脂、ダイヤモンド、水晶等）で構成されている。位牌８１は、漆等を外面に塗布することにより、カバー８３を目立たないようにしている。
【００６７】
このような位牌８１は、外部装置のデータ読み取り装置に礼板８２に固定したＩＣチップ３を近づけると、ＩＣチップ３がデータ読み取り装置と無線通信を行い、由来データを読み取られる。
【００６８】
以上説明した位牌８１は、ＩＣチップ３がカバー８３を介してカバー用装着凹部８２ｂに固定されており、カバー８３がカバー用装着凹部８２ｂに嵌め込むようにして装着されているので、カバー８３との境目が目立たず、ＩＣチップ３を見栄え良く固定することができる。
【００６９】
また、上記位牌８１は、ＩＣチップ３が、電気を通す貴石（ダイヤモンドや水晶等）で覆われている場合には、貴石で位牌８１を装飾しつつ、ＩＣチップ３が目立たないように固定される。
例えば、貴石が水晶である場合、直径１０ｍｍの水晶玉をＩＣチップ３を覆うように位牌８１に接着剤等で固定する。これによれば、水晶を有効に利用して、位牌８１に付加価値を付けることができる。
【００７０】
また、位牌８１は、ＩＣチップ３がカバー８３を介して分離しないように固定されているので、第１実施形態のようにＩＣチップ３を琥珀２に埋め込んで封入物入り琥珀１を製造し、その封入物入り琥珀１を接着剤等で固定する作業がいらない。よって、上記位牌８１は、ＩＣチップ３を簡単且つ安価に固定することができる。
しかも、位牌８１は、ＩＣチップ用凹部８２ａとカバー用装着凹部８２ｂにより、礼板８２の表面からＩＣチップ３やカバー８３が出っ張らないように固定されるので、見栄えが良い。
【００７１】
（第５実施形態）
続いて、本発明の第５実施形態について説明する。図２３は、第５実施形態に係る位牌９１の外観図である。
位牌９１は、「第１記憶手段」としてＵＳＢメモリ９３を使用する点のみが、第１実施形態のＩＣチップ３を備える位牌３１と相違している。ここでは、第１実施形態と相違する点を中心に説明し、第１実施形態と同一の構成には、図面に第１実施形態と同じ符号を用いて適宜説明を省略する。
【００７２】
位牌９１の内部には、ＵＳＢメモリ９３が内設されている。位牌９１は、ＵＳＢメモリ９３を装着するための装着凹部９２ａが、礼板９２の側面から開設されている。ＵＳＢメモリ９３は、接続ポート９４（接続手段の一例）が装着凹部９２ａの開口部に対向するように、装着凹部９２ａに嵌め込まれ、接着剤等で固定されている。装着凹部９２ａの開口部には、蓋９２ｂが回動自在に取り付けられ、蓋９２ｂを閉じることにより接続ポート９４に埃などが入るのを防ぎ、蓋９２ｂを開くことにより接続ポート９４に外部装置を接続できるようになっている。ＵＳＢメモリ９３は、読み出し専用メモリであって、宗派や寺院の僧侶等によって、戒名の由来に関する由来データが記憶されている。
【００７３】
このような位牌９１は、蓋９２ｂを開いてＵＳＢメモリ９３の接続ポート９４を露出させ、ＵＳＢケーブル等を用いてＵＳＢメモリ９３の接続ポート９４に外部装置（例えばパソコン）をダイレクトに接続すると、パソコンがＵＳＢメモリ９３から由来データを読み取り、ディスプレイに表示する。ユーザーは、パソコンのディスプレイに表示された由来データを見て、法事等で戒名等の由来を出席者に説明することができる。
【００７４】
以上説明した位牌９１は、ＵＳＢメモリ９３が、接続ポート９４を装着凹部９２ａの開口部に対向させて、装着凹部９２ａ内に固定されているので、ＵＳＢメモリ９３を外部から分からないように固定することができる。また、外部装置と接続ポート９４をケーブル等を用いてダイレクトに接続してＵＳＢメモリ９３の由来データを外部装置に読み取らせるので、由来データの読み取り時に電波干渉等の問題が生じない。
【００７５】
＜変形例＞
尚、本発明は、上記実施形態に限定されることなく、色々な応用が可能である。
例えば、ＩＣチップ３、無線式ＩＣカード７３、ＵＳＢメモリ９３、ＩＣタグ５１の固定位置は、上記実施形態に限定されない。例えば、ＩＣチップ３を礼板３２，６２の裏面や台座３３，６３に固定しても良いし、ＩＣタグ５１を礼板３２，６２の裏面に固定しても良い。また、ＩＣカード７３を礼板７２の表面や台座３３に固定しても良い。また、位牌や霊璽は、封入物入り琥珀１のための装着凹部３５やＩＣタグ５１のための収納部４２を設けずに、封入物入り琥珀１やＩＣタグ５１が接着剤等で貼り付けられて固定されいても良い。
【００７６】
例えば、上記実施形態では、読み出し専用のＩＣチップ３とＩＣカード７３とＵＳＢメモリ９３を「第１記憶手段」の一例としたが、暗証番号を入力しなければデータを書き込めないメモリを「第１記憶手段」としても良い。この場合も、暗証番号を知らない者（つまり宗派や寺院以外の者）が、第１記憶手段に由来データを勝手に書き込んだり、第１記憶手段に記憶されている由来データを勝手に改変・消去することができず、宗派や寺院から与えられた位牌や霊璽を他のものから区別することができる。
【００７７】
例えば、上記第１実施形態では、位牌３１に戒名を記したが、位牌３１に法名や法号を記しても良い。この場合にも、ＩＣチップ３に法名や法号の由来に関する由来データを記憶させると良い。
【００７８】
例えば、上記実施形態では、写真やビデオ画像、音声等を記憶する第２記憶手段の一例として無線式ＩＣタグ５１を位牌３１に固定し、無線通信で由来データが読み取られるようにした。これに対して、メモリスティックなどのように、外部装置のデータ読み取り手段とケーブル等で有線接続されてデータを読み書きされるものを第２記憶手段の一例とし、それを位牌に固定しても良いし、メモリスティックやＳＤカードなどのように外部装置（パソコン等）にセットされてデータを読み書きされるものを第２記憶手段の一例として、それを位牌に着脱自在に取り付けてもよい。メモリスティックやＳＤカード等は、ＩＣチップ３より安く記憶容量を大きくできるため、ＩＣチップ３より多くの画像（静止画及び動画）や音声等のデジタルデータを記憶することができる。
【００７９】
例えば、ＩＣタグ５１等の第２記憶手段に記憶容量の小さい安価なものを使用し、位牌を安く提供するようにしても良い。この場合、第２記憶手段にＩＤ番号のみを記憶させる一方、インターネットを介してパソコン等の外部装置に接続可能なサーバに、画像（動画及び静止画を含む。）や音声などのデジタルデータをＩＤ番号と関連付けて記憶させておいても良い。この場合、パソコン等の外部装置は、第２記憶手段から有線又は無線により読み取ったＩＤ番号をインターネットを介してサーバへ送り、サーバからＩＤ番号に対応したデジタルデータを受け取って、ディスプレイ等に表示するようにしても良い。
【００８０】
例えば、上記実施形態では、ＤＮＡ内包体４をＩＣチップ３と共に琥珀２に封入した封入物入り琥珀１を位牌３１に固定することにより、ＤＮＡ内包体４を位牌３１に固定した。これに対して、ＤＮＡ内包体４のみを琥珀２に封入したＤＮＡ入り琥珀（琥珀部材の一例）としても良い。この場合、例えば、ＩＣチップ３を琥珀２に封入したＩＣチップ入り琥珀を礼板３２の表面３４に固定し、ＤＮＡ入り琥珀を礼板３２の裏面３６に固定するなど、ＩＣチップ入り琥珀とＤＮＡ入り琥珀を別々の場所に固定しても良い。また、ＩＣチップ入り琥珀とＤＮＡ入り琥珀を同じ場所に固定しても良い。このように、ＩＣチップ３と金箔５を離すことにより、ＩＣチップ３が無線通信する際に金箔５の影響を受け難い。
例えば、上記実施形態では、ＤＮＡ内包体４を琥珀２に封入したが、ＤＮＡ内包体４をそのまま位牌に接着剤等で固定しても良い。この場合も、ＤＮＡ粉末６が金箔５で覆われているため、劣化しにくい。
例えば、上記実施形態では、ＩＣチップ３とＤＮＡ内包体４を位牌３１に固定したが、ＩＣチップ３のみを位牌３１に固定し、ＤＮＡ内包体４を省略することにより、位牌３１をコストダウンさせても良い。
【００８１】
例えば、上記第１及び第２実施形態では、琥珀２にＩＣチップ３とＤＮＡ内包体４を封入した封入物入り琥珀１を位牌３１と霊璽６１に固定した。これに対して、ＩＣチップ３やＤＮＡ内包体４を樹脂部材に封入し、位牌や霊璽に固定しても良い。ここで、樹脂部材には、ポリエチレン、ポリプロピレン、塩化ビニール、ポリスチレン、ＡＢＳ樹脂、ＡＳ樹脂、アクリル樹脂等の合成樹脂の他、コーパルやアンブロイド、松脂樹脂（ロジン）などの琥珀代用樹脂或いはゴム等の天然樹脂を材質とする部材が、含まれる。樹脂部材は、琥珀部材より安く製造できるため、由来データを記憶するＩＣチップ３を備える位牌を安く提供できる。
【００８２】
例えば、上記実施形態では、琥珀２に形成した１個の埋め込み孔２１にＩＣチップ３とＤＮＡ内包体４を一緒に入れて琥珀２に封入したが、琥珀２に２個の埋め込み孔を形成し、一方の埋め込み孔にＩＣチップ３を封入し、他方の埋め込み孔にＤＮＡ内包体４を内包しても良い。この場合、ＩＣチップ３がＤＮＡ内包体４の金箔５から離れ、ＩＣチップ３の通信時に電気信号（電波）が金箔５の影響を受けて干渉することを防ぐことができる。
例えば、上記実施形態では、封入痕を残さないために、加熱装置１１を用いて軟化開始温度以上に琥珀２を加熱してＩＣチップ３を琥珀２に封入した。これに対して、封入痕を問題としないならば、琥珀２を１２０℃以下（特に好ましくは７０℃〜８０℃）に加熱してＩＣチップ３を琥珀２に封入するようにしても良い。この場合、ＩＣチップ３が加熱された琥珀２の熱よって破壊されることを防止でき、封入物入り琥珀１（琥珀部材の一例）の歩留まりを向上させることができる。
【００８３】
例えば、上記実施形態では、リード／ライト手段５６を備えるパソコン５５によりＩＣチップ３のデータ読み取りやＩＣタグ５１へのデータの読み書きをするようにしたが、パソコンにデータ読み取り手段とデータ書き込み手段を別個に設けても良い。
【００８４】
例えば、ＩＣチップ３やＩＣタグ５１に記憶されている画像データは、パソコン５５のみでなく、デジタルフォトフレーム等で再生しても良い。
例えば、上記実施形態では、パソコン等の外部装置に由来データを表示させるようにしたが、例えば、ＩＣチップ３やＵＳＢメモリ９３等の第１記憶手段に無線又は有線で接続されるハンディ型データ読み取り手段にディスプレイを設け、ハンディ型データ読み取り手段のディスプレイに由来データを表示させるようにしても良い。この場合、由来データを読み取る場所が限定されず、使い勝手が良い。また、ＩＣタグ５１（ＩＣタグやスティックメモリ、ＳＤカード等）のデジタルデータについても、上記と同様に、ハンディ型リーダライタ端末等で確認できるようにすると良い。
【００８５】
例えば、上記実施形態では、一人に１個製造される位牌３１，７１，８１，９１や霊璽６１について説明した。これに対して、個人別に戒名等を記載した板を複数収納する収納スペースを備える位牌や霊璽（所謂、回出位牌や回出霊璽）については、各板にそれぞれの戒名等の由来に関する由来データを記憶するＩＣチップ３や無線式ＩＣカード７３を固定しても良い。また、この場合、１個のＩＣチップ３や無線式ＩＣカード７３を位牌に固定し、ＩＣチップ３や無線式ＩＣカード７３に各戒名等の由来に関する由来データをまとめて記憶させるようにしても良い。この場合でも、位牌と当人とを強く結びつけ、当該位牌を他の位牌から区別できる。
【００８６】
例えば、上記実施形態では、人の位牌３１に封入物入り琥珀１とＩＣタグ５１を固定したが、動物の位牌に封入物入り琥珀１とＩＣタグ５１を固定しても良い。この場合、ＩＣチップ３には、戒名等が有る場合にはその由来に関する由来データを記憶させると良い。また、ＩＣタグ５１に、位牌の対象となる動物の画像データ（動画、静止画を含む。）等のデジタルデータを記憶させると良い。
【００８７】
例えば、上記実施形態では、手動で孔形成工具１２と融解工具２０の加熱温度を設定したが、原産地別に天然琥珀２の軟化開始温度と融点をコントローラ１４に記憶させておき、天然琥珀２の原産地を入力すれば、孔形成工具１２と融解工具２０の加熱温度を自動設定できるようにしても良い。
例えば、上記実施形態では、加熱装置１１が、図示しない駆動部により孔形成工具１２と融解工具２０を自動で上下動させたり回動させて、埋め込み孔２１の形成や琥珀樹脂２５の充填を行った。これに対して、作業者が手作業で孔形成工具１２や融解工具２０を操って、埋め込み孔２１の形成や琥珀樹脂２５の充填を行うようにしても良い。
例えば、上記実施形態では、融解工具２０を埋め込み孔２１より細い形状にしたが、封入物に接触しないように形成された埋め込み孔と同一形状の融解工具を、加熱装置１１に取り付け、埋め込み孔２１の内壁を融解させて琥珀樹脂を埋め込み孔に充填するようにしても良い。この場合の融解工具は、琥珀に対して上下方向へのみ移動すれば良く、動作が単純である。また、琥珀の特性より、琥珀を融解しながら融解工具を琥珀から抜く場合に、琥珀が融解工具にくっつかず、琥珀樹脂を充填された埋め込み孔の痕が肉眼で判別できるほどに残らない。
【００８８】
例えば、上記実施形態では、ＩＣチップ３に由来データのみ記憶させたが、位牌３１の対象を特定するための対象特定データ（俗名、生年月日、死亡年月日等）をＩＣチップ３に記憶させ、当該位牌３１が誰のものであるかを示すようにしても良い。これは、例えば、たくさんの位牌を管理する子孫が、各位牌がいつ死亡した誰のものであるかを確認したり、年忌を確認する上で、便利である。
例えば、上記実施形態では、ダイヤモンドや水晶等の貴石によりＩＣチップ３を覆うようにした。これに対して、例えば、妻の結婚指輪に使用していたダイヤモンドを、夫の戒名等の由来に関する由来データを記憶したＩＣチップ３を覆うように、夫の位牌や霊璽に固定しても良い。これにより、妻と夫の絆の証を位牌や霊璽に付加することができる。
【００８９】
例えば、上記実施形態では、遺族がＩＣタグ５１にデータを記憶した。これに対して、例えば、生前戒名を授与された者が、気に入った写真や動画をセレクトし、そのセレクトした写真や動画を略歴やナレーションと共に２分〜３分のデータに編集してＩＣタグ５１に記憶させても良い。そして、生前戒名を授与された者が死亡した場合に、お葬式の動作や写真などをデジタルデータ化して、ＩＣタグ５１に追加して記憶させるようにしても良い。これによれば、子孫がＩＣタグ５１のデータを読み出して確認し、故人がどのような人であったかや、葬式の模様や参列者の様子などを知ることができる。
【００９０】
例えば、ＩＣタグ３に記憶した由来データや、ＩＣタグ５１に記憶したデータを、寺院や神社の専用端末装置に記憶させ、寺院が長期間管理できるようにしても良い。これによれば、例えば、位牌３１，７１，８１や霊璽６１を製造してから２０年から３０年が経過し、ＩＣタグ３，５１が壊れてしまった場合に、子孫が位牌３１，７１，８１や霊璽６１を寺院等へ持っていってＩＣタグ３，５１を新しいＩＣタグに交換してもらい、由来データ等のデータをＩＣタグ３，５１に入力してもらえば、戒名の由来データや故人のデータ等を確認できるようになる。
【符号の説明】
【００９１】
１  封入物入り琥珀（「琥珀部材」の一例）
２  琥珀
３  無線式ＩＣチップ（「第１記憶手段」の一例）
４  ＤＮＡ内包体
５  金箔
６  ＤＮＡ粉末
１２  孔形成工具
２０  融解工具
２１  埋め込み孔
２５  琥珀樹脂
３１，７１，８１，９１  位牌
３５  装着凹部
５１  ＩＣタグ（「第２記憶手段」の一例）
６１  霊璽
７３  無線式ＩＣカード（「第１記憶手段」の一例）
８２ｂ  カバー用装着凹部
８３  カバー
９３  ＵＳＢメモリ（第１記憶手段の一例）
９４  接続ポート（接続手段の一例）
【図１】
2011206511.tif 000003
【図２】
2011206511.tif 000004
【図３】
2011206511.tif 000005
【図４】
2011206511.tif 000006
【図５】
2011206511.tif 000007
【図６】
2011206511.tif 000008
【図７】
2011206511.tif 000009
【図８】
2011206511.tif 000010
【図９】
2011206511.tif 000011
【図１０】
2011206511.tif 000012
【図１１】
2011206511.tif 000013
【図１２】
2011206511.tif 000014
【図１３】
2011206511.tif 000015
【図１４】
2011206511.tif 000016
【図１５】
2011206511.tif 000017
【図１６】
2011206511.tif 000018
【図１７】
2011206511.tif 000019
【図１８】
2011206511.tif 000020
【図１９】
2011206511.tif 000021
【図２０】
2011206511.tif 000022
【図２１】
2011206511.tif 000023
【図２２】
2011206511.tif 000024
【図２３】
2011206511.tif 000025
【図２４】
2011206511.tif 000026